(57)【要約】【課題】  広い水槽では水槽内の水生生物の状態を目視・確認することは難しい。また更に、その水槽が建屋の中に設置されたでは自然光が通らず、暗くて見えない。【解決手段】  養殖用水槽内の水面に対しほぼ垂直に、水槽に合わせて縦横に仕切り壁を組み合わせ、仕切り壁の上端に、水平な板状の歩行路を取り付ける。歩行路は自由に歩行できるので、水槽内の上部から水中の状況を目視・確認する事ができる。  水槽が建屋の中にある場合や、野外でも夜間などで自然光では水槽内の様子が見えない場合は、水槽内の水中に照明装置を入れる。その場合照明装置は面発光の照明装置を用いると水中内に陰ができにくいのでより好ましい。【選択図】図２
2017023118.tif 000002
【特許請求の範囲】
【請求項１】
水槽と、前記水槽内の水面に対し略垂直に挿入され、前記水槽を複数の領域に区分する仕切壁を有する水生生物養殖水槽おいて、
前記仕切り壁に取り付けられ、前記水槽の水面より高い位置に配置される歩行路を有する水生生物養殖水槽。
【請求項２】
２乃至複数枚セットとして、一定の間隔で平行に並べられた前記仕切り壁の上端に、略水平な板状の前記歩行路を設け、前記歩行路は前記仕切り板に着脱可能に取付けられた請求項１に記載の水生生物養殖水槽。
【請求項３】
前記水槽内に挿入される水中照明装置を有する
請求項１乃至２に記載の水生生物養殖水槽
【請求項４】
前記水槽内に挿入される水中照明装置は面発光照明装置であることを特徴とする、請求項３に記載の水生生物養殖水槽
【請求項５】
前記水槽内に挿入される水中照明装置は前記仕切り壁に組み込まれている事を特徴とする、請求項３乃至４に記載の水生生物養殖水槽
【請求項６】
前記仕切り壁は全面又は一部の面が格子状に構成されている事を特徴とする、請求項１乃至５に記載の水生生物養殖水槽
【請求項７】
２枚又は複数枚組み合わされ、一定の間隔で平行にならべられた前記仕切り壁の間隙に浄化装置を設置した事を特徴とする、請求項２乃至６に記載の水生生物養殖水槽。
【請求項８】
前記仕切り壁又は歩行路のいずれか又はその両方の、一部又は全部が繊維強化樹脂で作られている、請求項１乃至７に記載の水生生物養殖水槽。
【発明の詳細な説明】
【技術分野】
【０００１】  本発明は水生生物、特に海洋生物を陸上で養殖するときの水槽の構造に関しての発明であり、これを活用して陸上での水生生物の養殖に役立てようとするものである。
さらにいえば、本発明は水生生物を養殖する養殖水槽に関し、養殖水槽内の養殖生物の状況を目視・確認するための手段に関する。また、養殖水槽の中に挿入するろ過装置に関する。
【背景技術】
【０００２】  近年海洋汚染や漁業権、自然環境保護等の問題により資源として海洋生物を捕獲するのが困難になってきている。
その為海洋生物の養殖が重要になってきているが、沿岸での養殖にしても、海洋汚染や近年の海水温度の上昇なども影響して養殖する生物に生育環境を適応してゆく事が難しくなってきている。【０００３】  また、内水においても化学肥料や農薬の影響で沼沢や湖の水が汚染され、一部の微生物の異常発生がしばしば起こり、いわゆる天然産の水生生物を得ることは絶望的に難しくなってきている。【０００４】  一方、日本の抱える他の大きな問題として、人口減少・特に地方の過疎化問題がある。これらの地域ではかつて栄えていた産業が中央の産業構造の変化の影響を受けて衰退し、働き盛りの人や若者の雇用を維持できない状況になって久しい。【０００５】  地方や過疎化された地域では廃村などに至らぬ様に新たな産業を起こすことが望まれている。どのような産業が起こしやすく、定着しやすいかを考えるときに、元工場だった所の土地や建物、廃校後の校舎やグランドのようにかつて使用されていたインフラを活用できればより好ましいと思える。【０００６】  たとえば廃校あとのプールを水生生物の養殖に使用する場合、プールは大型の水槽として格好の設備になるが、水槽周りの作業や保守を行いやすくすることが必用である。本発明の目的は、水槽内の目視・確認を行いやすくする事にある。ポイントは、水槽の仕切り壁上に歩行路を設け、さらに水中照明装置を設け、歩行路上から水中を目視・確認し易くすることにある。【０００７】    また水生生物の養殖を行うとき大切なことは生物の排泄物や餌の残渣をどう取り除くかという問題である。そのため水槽内にろ過装置を組み込むか、水槽内の水を分岐させろ過装置を通過させ、きれいになった水を水槽に戻して水の浄化を行う。
本発明では水槽内にろ過装置を組み込む場合、ろ過装置を効果的に水槽内に配置する方法を提案する。
【先行技術文献】
【特許文献】
【０００８】
【特許文献１】特開２０００−６０３５５
【特許文献２】特開２００１−３５２０４
【特許文献３】特開２０１１−３０４６３
【特許文献４】実開昭６１−１１０２６９
【０００９】  特許文献１は「多段式の養殖水槽」に関する発明であり、図２に監視歩道５が設けられている例が示されている。
しかし、この文献に記載されている監視歩道は水槽の外周に設けられている為に、水槽が広い場合水槽の中心部の状況を監視することは難しい。この難点を解決する方法は開示されていない。【００１０】  また図６に水をろ過するフィルター１３が記載されている。しかしその存在が示されているのみで内容は記載されておらず、またこれは水槽内の水を分岐させろ過装置を通過させ、きれいになった水を水槽に戻して水の浄化を行う方式であり、本発明の様に水槽に組み込む方式ではない。【００１１】  特許文献２は「水中照明装置」に関する発明であり、光伝送チューブを水中に配設して水中を照射するものであるが、水生生物の養殖に関する技術を直接示唆する内容は記載されていない。【００１２】  特許文献３は「水中照明とこれを用いた養殖装置」に関する発明であり、水中での面発光に近い照明装置の例が開示されている。しかし、この装置は水中植物養殖のための装置であり、水生生物の養殖のための目視・確認に関する技術を直接示唆する内容は記載されていない。【００１３】  特許文献４は「養殖用水槽仕切り網」に関する発明であり、水槽内を網で区分けする内容が記載されている。しかし、水槽の監視に関しては何も示唆していない
【発明の概要】
【発明が解決しようとする課題】
【００１４】  従来は、一例をあげれば、特許文献１に示す水槽の内１段分を地面または建屋の床面に設置して用いることが一般だった。地面に置かれた水槽内の状況を調べる場合、水槽四方の周囲から見ることは比較的容易であった。
しかし本願発明のように広い水槽も考慮の対象にすると、水槽内を見通して監視することは難しくなる。また特許文献１に示すように多段にしたりすると下段は自然光が通らず、暗くて見えない。【００１５】  また、水中内を照明すると自然光がさえぎられても明るくすることは可能である。しかし、たとえば先行技術である特許文献２及び特許文献３に記載された水中を照明する装置を用いても水生生物の状況を目視・確認するのに適した照明という観点では何も従来の技術から進歩している点が示唆されていない。
【課題を解決するための手段】
【００１６】  養殖用水槽内の水面に対しほぼ垂直に仕切壁を挿入する。仕切壁どうしを水槽の形状に合わせて縦横に組み合わせ、水槽の水面を複数の領域に区分する。
仕切り壁の上端に、水平な板状の歩行路を取り付ける。歩行路は自由に歩行できるので、水槽内の上部から水中の状況を目視・確認する事ができる。【００１７】  仕切り壁は格子状のパネルで作られている。  仕切壁を水槽内に入れる事により、養殖生物を種類や成長度合いにより区分することができる。その場合でも水は仕切壁の格子部分を貫通して流れることができる。【００１８】  水槽が建屋の中にある場合や、野外でも夜間などは水槽内の様子が見えにくい。その場合は水槽内に照明装置を入れる。水槽の底部に近いほうが自然光は届きにくく、暗い。従って、仕切壁の水中内下部の近くに照明装置をつけるのが効果的である。その照明により水中内部を照らせば、水槽が広くても歩行路を通り観察したい所に近づき、その場所の水中内部の状況を目視・確認できる。【００１９】  水槽内に挿入される水中照明装置は、水槽内の生物や装置の陰になることを防ぐために、たとえば点光源や線光源でできた照明装置よりも面発光照明装置がより好ましい。面発光照明装置を仕切壁に組み込めば水槽内の養殖生物が仕切壁の陰になり見えないことはない。【００２０】  水槽内の水をろ過するろ過装置を何処に、どのように設置するかは、水槽の運用と保守のために重要なポイントになる。
本発明では仕切り壁を２枚ずつセットにして、水槽内に一定の間隔を置いて並行に並べ、その間にろ過装置を配置する。【００２１】  この２枚の仕切り壁の上端には水平な板状の歩行路を設けることができる。歩行路は適当な長さにして、仕切り板から取り外し可能にすると仕切り壁間に配置したろ過装置などの保守点検、交換などがしやすくなる。また歩行路は格子状の又はスリット上のグレーティングを用いることもできる。【００２２】    仕切り壁や歩行路に木材や金属材料を用いるときには十分塗装などを行う必要があるが、ＦＲＰ製などのさびにくく強靭な材料で作られたものを用いると保守が容易になる。
【発明の効果】
【００２３】  本願発明を実施することにより、水槽の広さに係らず水槽内の目視・確認したい場所に近づき水槽内部の状況を目視・確認することができる。また水槽内の養殖生物や装置の保守管理が容易にできるようになる。【００２４】  また、本発明を実施することにより地方や過疎化された地域でも廃村などに至らぬ様に内陸での生物養殖産業が起こしやすく、定着させることも可能になる。それを実現するためには、元工場だった所の土地や建物、廃校後の校舎やグランドのような、かつて使用されていたインフラを活用するのが効果的である。そして日本の抱える大きな問題である人口減少・特に地方の過疎化問題の解決の一助になる事が期待できる。
【図面の簡単な説明】
【００２５】
【図１】  本願発明の水生生物養殖水槽の平面図
【図２】  仕切壁の５面図
【図３】  水槽に仕切壁を平行に立て、その間にろ過装置を配した４面図
【発明を実施するための形態】
【００２６】  本発明水槽装置の実施例を、図１乃至図３を用いて説明する。
【００２７】  図１は本発明第１の実施例であり、水生生物養殖水槽１の平面図である。格子状に組み合わさって見える部分は仕切壁２上に設置された歩行路３を示す。
歩行路と歩行路の間に長方形に見える部分は水生生物養殖水槽１の区分された水面８であり、図１の例では水生生物養殖水槽１の水面８が２０個に区分されている。
【００２８】  図２は第１の実施例における仕切壁の一例を５面図で示す。正面図において外側の枠は一枚の仕切壁を正面から見た図であり、水面９を上に、水槽の底を下に描いている。
仕切壁３は縦桟６と横桟７を格子状に組み合わせて枠を作り、その上部で水面９より上の部分に水面に平行に歩行路を設ける。
【００２９】  また、仕切り壁はその枠の中に格子壁を取り付けた構成にし、水槽底面に配置する。格子壁は必ずしも図示したものでなくても良く、網状のものでも良い。また、水中照明装置場合は仕切り壁枠内の、水槽の底面に近い位置に取り付ける。この場合の水中照明装置は面発光照明が好ましいが、必ずしも面発光に限定する事はない。
【００３０】このように構成された仕切り壁を水槽内に配置することにより、水槽を区分し、養殖生物の種類ごとに、または成長度合いごとに水域を分けて養殖することができる。
【００３１】  図３に本発明第２の実施例を４面図で示す。第１の実施例と異なるところは、
仕切り壁２を２枚ずつセットにして、水槽内に一定の間隔を置いて並行に並べ、その間にろ過装置１０を配置する点である。もちろん仕切り壁の間にはポンプ等ろ過装置以外の装置を配置することができる。このようにすると水槽内の養殖領域がすっきりすし、水槽内の視認性も高まる。
【００３２】  この２枚の仕切り壁の上端には水平な板状の歩行路を設けることができる。歩行路は適当な長さにして、仕切り板から取り外し可能にすると仕切り壁間に配置したろ過装置などの保守点検、交換などがしやすくなる。
【００３３】  また歩行路は格子状の又はスリット上のグレーティングを用いることもできる。
仕切り壁や歩行路に木材や金属材料を用いるときには十分塗装などを行う必要があるが、錆びず腐食もしない繊維強化樹脂（ＦＲＰ）などを用いると保守が容易になる。
【００３４】  ２枚の平行な仕切り壁２の間はろ過装置１０などを設置するのに好適な場所になる。
また、２枚の平行な仕切り壁２の間の上部、水面上に歩行路３を設けることができるが、歩行路用の板は取り外しが可能に、適当な長さにしておく。ろ過装置などの保守点検が必要となった場合は歩行路用の板の一部を取り外して行う。
【産業上の利用可能性】
【００３５】  本水生生物養殖水槽を用いることにより、養殖水槽を高密度に設置することができるとともに、養殖中の生物の状態を容易に目視・確認することができるので、生産性の高い養殖の事業化が可能になる。また、第２の実施例では水槽内の水をろ過するろ過装置を用いるときでも、水槽内をすっきり整理ができて作業性の良い環境が作れる。
【符号の説明】
【００３６】    １            水生生物養殖水槽
２            仕切壁
３            歩行路
４            水中照明装置（面発光照明装置）
５            格子壁
６            縦桟
７            横桟
８            水生生物養殖水槽の区分された水面
９            水面
１０            ろ過装置
【図１】
2017023118.tif 000003
【図２】
2017023118.tif 000004
【図３】
2017023118.tif 000005